(57)【要約】【課題】車両への搭載が可能であるとともに、測定精度の維持が可能なガス検知センサを提供する。【解決手段】赤外線を発する光源１１、赤外線を受光する受光部１３，１５、赤外線を透過するフィルタ１２，１４が含まれる検知セル１６を備え、フィルタ１２，１４は、アルコールに吸収される第１特定波長の赤外線、および、水蒸気に吸収される第２特定波長の赤外線を透過し、受光部１３は、フィルタ１２を透過した第１特定波長の赤外線により、アルコールセンサとして被検知ガスに含まれるアルコール濃度を測定し、受光部１５は、フィルタ１４を透過した第２特定波長の赤外線により、湿度センサとして被検知ガスに含まれる湿度を測定し、検知セル１６に被検知ガスを導く経路２０に、第２特定波長の赤外線の測定による湿度の測定とは異なる検出原理により湿度を測定する他の湿度センサ２１が更に設けられていることを特徴とする。【選択図】図１
2013145207.tif 000002
【特許請求の範囲】
【請求項１】
赤外線を発する光源、前記赤外線を受光する受光部、および、前記光源と前記受光部との間に配置されて特定波長の赤外線を透過するフィルタが含まれる検知セルを備えたガス検知センサであって、
前記フィルタは、アルコールにより吸収される波長である第１特定波長の赤外線、および、水蒸気により吸収される波長である第２特定波長の赤外線を透過し、
前記受光部は、前記フィルタを透過した前記第１特定波長の赤外線を測定することにより、アルコールセンサとして被検知ガスに含まれるアルコール濃度を測定し、前記フィルタを透過した前記第２特定波長の赤外線を測定することにより、湿度センサとして前記被検知ガスに含まれる湿度を測定し、
前記検知セルに前記被検知ガスを導く経路に、前記第２特定波長の赤外線の測定による前記湿度の測定とは異なる検出原理により湿度を測定する他の湿度センサが更に設けられていることを特徴とするガス検知センサ。
【請求項２】
前記受光部により測定された前記湿度の値、および、前記他の湿度センサにより測定された前記湿度の値に基づいて、前記受光部により測定された前記アルコール濃度の値を補正する演算部が更に設けられていることを特徴とする請求項１記載のガス検知センサ。
【請求項３】
前記演算部は、前記受光部により測定された前記湿度の値と、前記他の湿度センサにより測定された前記湿度の値と、をパラメータとして前記アルコール濃度の値の補正処理を行うことを特徴とする請求項２記載のガス検知センサ。
【請求項４】
前記演算部は、前記受光部により測定された前記湿度の値と、前記他の湿度センサにより測定された前記湿度の値とを比較し、２つの測定された前記湿度の値に差がある場合に、前記アルコール濃度の値の補正処理を行うことを特徴とする請求項２記載のガス検知センサ。
【発明の詳細な説明】
【技術分野】
【０００１】
本発明は、赤外線などの光の吸収波長に基づいてガスを検知するガス検知センサ、特に、呼気に含まれるアルコール濃度の検出に用いて好適なガス検知センサに関する。
【背景技術】
【０００２】
近年の飲酒運転防止の機運の高まりに対応して、車両の運転者の呼気に含まれるアルコール濃度が規制値よりも高い場合には、車両のエンジンの始動を不可とする装置（以下「アルコールインターロック」と表記する。）が注目を浴びている。アルコールインターロックには、呼気に含まれるアルコール濃度を測定するアルコール検知センサが備えられており、アルコールインターロックは、アルコール検知センサによる測定結果に基づいて、エンジン始動の許可、不許可を判定している。
【０００３】
アルコールを検出するガスセンサとしては、種々のアルコール検出方法を用いたセンサが知られており、その一つとして赤外線吸収式のガスセンサが知られている（例えば、特許文献１参照）。赤外線吸収式のガスセンサは、赤外線のうちのアルコールによって吸収される波長帯域の赤外線に着目したセンサであり、当該波長帯域の赤外線が吸収される程度に基づいてアルコール濃度を測定するものである。
【０００４】
アルコールインターロックに用いられるガスセンサには、高い検出精度が求められる。赤外線吸収式のガスセンサの場合には、検出対象の呼気などによるセンサ内部の汚損によってアルコール濃度が正確に測定できなくなる問題があった。つまり、センサによって検出された赤外線の光量の変化が、アルコールによる吸収に起因するものか、センサ内部の汚損に起因するものなのか、判別できないためアルコール濃度の測定精度が悪化する問題があった。
【先行技術文献】
【特許文献】
【０００５】
【特許文献１】特開２００５−２９２００９号公報
【発明の概要】
【発明が解決しようとする課題】
【０００６】
上述の問題を解決してガスセンサの検出精度を高く維持するために、アルコールなどの測定対象ガスの濃度が予め既知の較正用ガスを用いたセンサの較正が、一般的に行われている。較正用ガスとしては、例えばガスボンベに充填されたものや、固形材料を加熱等して発生させたものが利用されている。
【０００７】
しかしながら、車両に搭載されるアルコールインターロックに含まれ、測定対象がアルコールであるガスセンサの場合には、以下の制約によって較正用ガスを用いることが難しいという問題があった。
【０００８】
つまり、固形材料を加熱等して較正用のアルコールを発生させる場合には、当該固形材料は可燃物となる。一般に、車両への可燃物の搭載は望ましくないため、アルコールインターロックに用いられるガスセンサの較正用ガス発生源としての使用は困難であった。
【０００９】
さらに、アルコールは揮発物質であるため、固形材料のアルコール含有量は、時間の経過に伴うアルコールの揮発によって変化する（減少する）おそれがある。つまり、固形材料から発生された較正用ガスに含まれるアルコール濃度の長期安定性に問題があり、ガスセンサの較正を正確に行うことが困難であった。
【００１０】
また、ガスボンベに充填された較正用ガスを用いる場合には、ガスボンベ中に高圧の較正用ガスを充填することになる。一般に、車両への高圧ガスボンベの搭載は望ましくないため、アルコールインターロックに用いられるガスセンサの較正用ガス発生源としての使用は困難であった。
【００１１】
本発明は、上記の課題を解決するためになされたものであって、車両への搭載が可能であるとともに、測定精度の維持が可能なガス検知センサを提供することを目的とする。
【課題を解決するための手段】
【００１２】
上記目的を達成するために、本発明は、以下の手段を提供する。
本発明のガス検知センサは、赤外線を発する光源、前記赤外線を受光する受光部、および、前記光源と前記受光部との間に配置されて特定波長の赤外線を透過するフィルタが含まれる検知セルを備えたガス検知センサであって、前記フィルタは、アルコールにより吸収される波長である第１特定波長の赤外線、および、水蒸気により吸収される波長である第２特定波長の赤外線を透過し、前記受光部は、前記フィルタを透過した前記第１特定波長の赤外線を測定することにより、アルコールセンサとして被検知ガスに含まれるアルコール濃度を測定し、前記フィルタを透過した前記第２特定波長の赤外線を測定することにより、湿度センサとして前記被検知ガスに含まれる湿度を測定し、前記検知セルに前記被検知ガスを導く経路に、前記第２特定波長の赤外線の測定による前記湿度の測定とは異なる検出原理により湿度を測定する他の湿度センサが更に設けられていることを特徴とする。
【００１３】
本発明のガス検知センサによれば、光源、受光部およびフィルタを用いた赤外線吸収方式により測定された被検知ガスのアルコール濃度および湿度と、赤外線吸収方式とは異なる方式により測定された被検知ガスの湿度が得られる。湿度は赤外線吸収方式と、それと異なる方式とにより測定されているため、両者の値の違いに着目することで、赤外線吸収方式による測定値に誤差が生じているか否かを判定することができる。さらには、赤外線吸収方式とは異なる方式により測定された湿度を用いることにより、赤外線吸収方式による測定値の較正を行うことができ、測定精度を維持することができる。
【００１４】
また、検出原理の異なる他の湿度センサを用いて赤外線吸収方式による測定値の較正を行うため、較正用ガスを用いる特許文献１および２の方法と比較して、ガス検知センサの車両への搭載が容易となる。つまり、特許文献１に記載された可燃性を有する固形材料や、特許文献２に記載された高圧ガスボンベなどの、車両に搭載する際に障害となりうる構成要素を用いる必要がない。
【００１５】
上記発明においては、前記受光部により測定された前記湿度の値、および、前記他の湿度センサにより測定された前記湿度の値に基づいて、前記受光部により測定された前記アルコール濃度の値を補正する演算部が更に設けられていることが好ましい。
【００１６】
このように演算部がガス検知センサに設けられることにより、ガス検知センサから、較正済みのアルコール濃度の測定値を直接出力することができる。言い換えると、ガス検知センサ単体で、測定精度の維持が可能となる。
【００１７】
上記発明において前記演算部は、前記受光部により測定された前記湿度の値と、前記他の湿度センサにより測定された前記湿度の値と、をパラメータとして前記アルコール濃度の値の補正処理を行うことが好ましい。
【００１８】
このように、赤外線吸収方式により測定された湿度の値と、赤外線吸収方式とは異なる方式で測定された湿度の値とをパラメータとして、赤外線吸収方式で測定されたアルコール濃度の値の補正処理を行うことにより、補正処理を正確に行うと共に補正処理が行いやすくなる。
【００１９】
例えば、赤外線吸収方式とは異なる方式で測定された湿度の値に基づいて赤外線吸収方式により測定された湿度の値を較正する較正係数を求め、当該較正係数を用いて赤外線吸収方式で測定されたアルコール濃度の値の補正処理を行う方法や、両湿度の値をパラメータとした演算式に基づいてアルコール濃度の値を補正する演算処理を行う方法や、両湿度の値をパラメータとしたアルコール濃度の値の補正値をまとめたテーブルを用いて補正処理を行う方法等を挙げることができる。
【００２０】
上記発明において前記演算部は、前記受光部により測定された前記湿度の値と、前記他の湿度センサにより測定された前記湿度の値とを比較し、２つの測定された前記湿度の値に差がある場合に、前記アルコール濃度の値の補正処理を行うことが好ましい。
【００２１】
このように、赤外線吸収方式により測定された湿度の値と、赤外線吸収方式とは異なる方式で測定された湿度の値とを比較して、両者の値に差がある場合にのみ赤外線吸収方式で測定されたアルコール濃度の値の補正処理を行うことにより、過度の補正処理が行われることを抑制できる。言い換えると、測定されたアルコール濃度の値が、実際のアルコール濃度の値から外れる誤った補正処理が行われることを抑制できる。
【００２２】
つまり、赤外線吸収方式により測定された湿度の値と、赤外線吸収方式とは異なる方式で測定された湿度の値との間に差がない場合には、赤外線吸収方式により測定された湿度の値にフィルタの汚損等による誤差が含まれていないと考えられる。同じ赤外線吸収方式により測定されたアルコール濃度の値についても、フィルタの汚損等による誤差が含まれていないと考えられる。この場合には、測定されたアルコール濃度の値に含まれる誤差を取り除く補正処理を行わないことにより、測定されたアルコール濃度の値の精度を維持することができる。
【発明の効果】
【００２３】
本発明のガス検知センサによれば、被検知ガスの湿度を赤外線吸収方式および赤外線吸収方式以外の方式で測定するとともに、被検知ガスのアルコール濃度を赤外線吸収方式で測定することにより、較正用ガスを用いることなく、アルコール濃度の測定値を構成することができるため、車両への搭載が可能であるとともに、測定精度の維持が可能になるという効果を奏する。
【図面の簡単な説明】
【００２４】
【図１】本発明の一実施形態に係るガス検知センサの構成を説明する模式図である。
【図２】湿度のセンサ出力の時間の経過に伴う変化を説明するグラフである。
【図３】図１の演算部における補正処理を説明するフローチャートである。
【図４】アルコール濃度のセンサ出力における補正前後の関係を説明するグラフである。
【発明を実施するための形態】
【００２５】
この発明の一実施形態に係るガス検知センサ１について、図１から図４を参照しながら説明する。図１は、本実施形態に係るガス検知センサ１の構成を説明する模式図である。
本実施形態のガス検知センサ１は、自動車などの車両に搭載されるアルコールインターロックに用いられるものであり、車両の運転者の呼気（被検知ガス）に含まれるアルコール濃度を測定するものである。
【００２６】
ガス検知センサ１には、図１に示すように、呼気に含まれるアルコール濃度および湿度を測定する検知セル１０と、検知セル１０に呼気を導く経路２０と、呼気の湿度を測定する経路湿度センサ（他の湿度センサ）２１と、検知セル１０により測定されたアルコール濃度の値の補正処理を行う演算部２２と、検知セル１０、経路２０、経路湿度センサ２１および演算部２２を内部に収納する筺体２３と、が主に設けられている。
【００２７】
検知セル１０には、赤外線を含む光を放つ光源１１と、赤外線吸収式のアルコールセンサとして機能する第１フィルタ（フィルタ）１２および第１受光部（受光部）１３と、赤外線吸収式の湿度センサとして機能する第２フィルタ（フィルタ）１４および第２受光部（受光部）１５と、光源１１、第１フィルタ１２、第２フィルタ１４、第１受光部１３および第２受光部１５を内部に収納するセル容器１６と、が主に設けられている。
【００２８】
光源１１はセル容器１６の内部に配置され、セル容器１６の内部空間に導入された呼気に対して赤外線を含む光を照射するものである。より具体的には、光源１１は、内部空間を形成するセル容器１６の内面における上側の端面（図１の上側の端面）にされている。当該上側の端面は、光源１１から放たれた光を反射する反射面であり、光源１１を焦点とするパラボラ形状に形成されていることが好ましい。なお、本実施形態で述べる「光」とは、波長が可視光の帯域に属する電磁波のみに限らず、赤外線の波長帯域に属する電磁波も含むものである。
【００２９】
第１フィルタ１２および第２フィルタ１４は、第１受光部１３および第２受光部１５を内部に収納する収納部１７における光源１１と対向する面に設けられた、特定波長の光を透過させる波長選択フィルタである。収納部１７は、セル容器１６の内部空間における下側の端部に配置される部材であり、第１フィルタ１２および第２フィルタ１４を透過した光以外の光が、第１受光部１３および第２受光部１５に受光されることを防止するものである。
【００３０】
第１フィルタ１２は、赤外線のうちアルコールに吸収される波長または波長帯（第１特定波長：以下、「波長等」と表記する。）の赤外線を透過し、その他の波長等の光を遮るものである。第１フィルタ１２は、収納部１７における光源１１と第１受光部１３との間の位置に配置されている。
【００３１】
第２フィルタ１４は、赤外線のうち水蒸気に吸収される波長等（第２特定波長）の赤外線を透過し、その他の波長等の光を遮るものである。第２フィルタ１４は、収納部１７における光源１１と第２受光部１５との間の位置に配置されている。第１フィルタ１２および第２フィルタ１４を構成する材料としては、公知の材料を用いることができ、特にその種類を限定するものではない。
【００３２】
なお、赤外線のうちのアルコールに吸収される波長等や、水蒸気に吸収される波長等としては、公知の吸収波長等を用いることができ、本実施形態では詳細に限定した波長等を用いるものではない。
【００３３】
第１受光部１３は、第１フィルタ１２を透過した赤外線の光強度を測定するものであり、第１フィルタ１２を透過する赤外線の強度が、呼気に含まれるアルコールによって、どの程度弱まるか測定するものである。第２受光部１５は、第２フィルタ１４を透過した赤外線の光強度を測定するものであり、第２フィルタ１４を透過する赤外線の強度が、呼気に含まれる水蒸気によって、どの程度弱まるか測定するものである。
【００３４】
なお、第１受光部１３および第２受光部１５としては、光の強度などを測定する公知の光センサを用いることができるものであり、特に、光の検出方法や、センサの構造上の特徴などを限定するものではない。
【００３５】
セル容器１６は、赤外線吸収式のアルコールセンサおよび湿度センサを構成する光源１１、第１フィルタ１２、第１受光部１３、第２フィルタ１４および第２受光部１５を内部に収納するものである。セル容器１６の内部には、運転者の呼気が導かれる内部空間が設けられている。セル容器１６は、当該内部空間に、外部から光が差し込まないように構成されている。また、セル容器１６の側面には、内部空間と外部とをつなぎ、内部空間に導かれた呼気を外部に排出する排出孔１８が設けられている。
【００３６】
経路２０は、運転者の呼気をセル容器１６の内部空間に導く流路である。経路２０におけるセル容器１６側の端部はセル容器１６に接続されており、反対側の端部は、ガス検知センサ１の筺体２３から突出している。経路２０における筺体２３から突出した部分は、運転者が呼気を吹き込む際に咥えるマウスピースと接続されていてもよいし、当該部分が直接マウスピースを構成してもよい。
【００３７】
経路湿度センサ２１は経路２０の途中に設けられ、経路２０を流れる呼気に含まれる水蒸気を測定するセンサである。経路湿度センサ２１は、水蒸気による赤外線の吸収を利用した湿度の測定方法以外の方法、例えば、高分子膜やセラミック焼結体における湿分の吸脱着によるインピーダンスや容量の変化を利用した湿度の測定方法を用いて湿度を測定するセンサである。なお、経路湿度センサ２１は、設置個所が限られるため、小型で信頼性に優れたセンサであることが望ましい。
【００３８】
演算部２２は、第２受光部１５から出力される湿度の測定信号であるセンサ出力ＩＲや、経路湿度センサ２１から出力される湿度の測定信号であるセンサ出力ＲＴに基づいて、第１受光部１３から出力されるアルコール濃度の測定信号であるセンサ出力ＡＬの補正処理を行う演算部である。演算部２２は、ＣＰＵ（中央演算処理ユニット）、ＲＯＭ、ＲＡＭ、入出力インタフェース等を有するマイクロコンピュータであり、ＲＯＭ等の記憶装置に記憶している制御プログラムを実行することにより、上述の補正処理等の演算処理を実行するものである。なお、上述の補正処理の詳細については以下に説明する。
【００３９】
次に、上記の構成からなるガス検知センサ１におけるアルコール濃度の測定およびセンサ出力の較正について図２から図４を参照しながら説明する。
運転者によってガス検知センサ１の経路２０に呼気が吹きこまれると、呼気は経路２０を経由して検知セル１０の内部空間に導かれる。経路湿度センサ２１は、経路２０を通過する呼気に含まれる水蒸気の濃度つまり呼気の湿度を測定し、呼気に含まれる湿度に応じたセンサ出力ＲＴを演算部２２に出力する。
【００４０】
検知セル１０では、内部空間に導かれた呼気に対して光源１１から赤外線を含む光が照射される。呼気に照射された光のうち、一部の波長または波長帯域の光は、呼気に含まれるアルコールや水蒸気によって吸収される。
【００４１】
第１受光部１３は、呼気に照射された光のうち、第１フィルタ１２を透過した光の強度、言い換えると、アルコールに吸収される波長等の赤外線の強度を測定し、呼気に含まれるアルコール濃度に応じたセンサ出力ＡＬを演算部２２に出力する。第２受光部１５は、呼気に照射された光のうち、第２フィルタ１４を透過した光の強度、言い換えると、水蒸気に吸収される波長等の赤外線の強度を測定し、呼気に含まれる湿度に応じたセンサ出力ＩＲを演算部２２に出力する。
【００４２】
なお、時間の経過に伴うセンサ出力ＲＴおよびセンサ出力ＩＲの値は、図２に示すように変化する。つまり、赤外線吸収方式に基づく測定結果であるセンサ出力ＩＲは、第２フィルタ１４の汚損などによって時間の経過に伴い値が低下する傾向を示す。これに対して、赤外線吸収方式以外の方式に基づく経路湿度センサ２１の測定結果であるセンサ出力ＲＴは、時間の経過に関わらず概ね同一の値を示す傾向にある。
【００４３】
呼気に含まれる湿度を測定したセンサ出力である、経路湿度センサ２１のセンサ出力ＲＴと、第２受光部１５のセンサ出力ＩＲとが入力された演算部２２は、図３に示すように、呼気に含まれるアルコール濃度を測定したセンサ出力ＡＬに対する補正処理を行う。
【００４４】
まず、演算部２２は、湿度のセンサ出力ＲＴおよびセンサ出力ＩＲの比較を行い、両出力の値が異なるか否かの判定処理を行う（Ｓ１１）。センサ出力ＲＴの値と、センサ出力ＩＲの値とが等しいと判定された場合（ＮＯの場合）には、センサ出力ＡＬに第１フィルタ１２の汚損などによる誤差が含まれていないと考えられ、センサ出力ＡＬに対する補正演算が行われない。
【００４５】
なお、Ｓ１１における両出力の値が異なるか否かの判定処理は、両出力の差が厳密な意味でないか否かの判定に限られるものではなく、所定の許容範囲を含む意味での値が異なるか否かの判定処理が行わるものも含まれる。
【００４６】
センサ出力ＲＴの値と、センサ出力ＩＲの値とが異なると判定された場合（ＹＥＳの場合）には、演算部２２は、センサ出力ＩＲの値が、センサ出力ＲＴの値と等しくなる補正係数（または較正係数）を求めてセンサ出力ＩＲの値を補正する演算処理を行う（Ｓ１２）。その後、演算部２２はＳ１２で求められた補正係数を用いて、センサ出力ＡＬの値を補正する（較正する）演算処理を行う（Ｓ１３）。
【００４７】
補正前のセンサ出力ＡＬと、Ｓ１３の補正処理後の補正後のセンサ出力ＡＬとの関係は、図４に示す通りとなる。つまり、図４の点線で示す補正前のセンサ出力ＡＬが、Ｓ１３の補正処理によって、図４の実線で示す補正後のセンサ出力ＡＬとなる。
【００４８】
上記の構成のガス検知センサ１によれば、光源１１、第１フィルタ１２、第１受光部１３、第２フィルタ１４および第２受光部１５により測定された呼気のアルコール濃度および湿度と、経路湿度センサ２１により測定された呼気の湿度が得られる。湿度は赤外線吸収方式と、それと異なる方式とにより測定されているため、両者の値の違いに着目することで、赤外線吸収方式による測定値に誤差が生じているか否かを判定することができる。さらには、経路湿度センサ２１により測定された呼気の湿度を用いることにより、赤外線吸収方式による測定値の較正を行うことができ、ガス検知センサ１によるアルコール濃度の測定精度を維持することができる。
【００４９】
また、検出原理の異なる経路湿度センサ２１のセンサ出力ＲＴを用いて赤外線吸収方式によるセンサ出力ＡＬおよびセンサ出力ＩＲの較正を行うため、較正用ガスを用いる特許文献１および２の方法と比較して、ガス検知センサ１の車両への搭載が容易となる。つまり、特許文献１に記載された可燃性を有する固形材料や、特許文献２に記載された高圧ガスボンベなどの、車両に搭載する際に障害となりうる構成要素を用いる必要がない。
【００５０】
演算部２２がガス検知センサ１に設けられているため、ガス検知センサ１から、較正済みのアルコール濃度の測定値を直接出力することができる。言い換えると、ガス検知センサ１単体で、測定精度の維持が可能となる。
【００５１】
第２受光部１５から出力されたセンサ出力ＩＲの値（湿度の値）と、経路湿度センサ２１から出力されたセンサ出力ＲＴの値（湿度の値）とを比較して、両者の値に差がある場合にのみ第１受光部１３から出力されたセンサ出力ＡＬの値（アルコール濃度の値）の補正処理を行うことにより、過度の補正処理が行われることを抑制できる。言い換えると、第１受光部１３により測定されたアルコール濃度の値が、実際のアルコール濃度の値から外れる誤った補正処理が行われることを抑制できる。
【００５２】
つまり、第２受光部１５から出力されたセンサ出力ＩＲの値と、経路湿度センサ２１から出力されたセンサ出力ＲＴの値との間に差がない場合には、第２受光部１５から出力されたセンサ出力ＩＲの値に第２フィルタ１４の汚損等による誤差が含まれていないと考えられる。同じ赤外線吸収方式により測定されたアルコール濃度の値についても、第１フィルタ１２の汚損等による誤差が含まれていないと考えられる。この場合には、測定されたアルコール濃度の値に含まれる誤差を取り除く補正処理を行わないことにより、測定されたアルコール濃度の値の精度を維持することができる。
【００５３】
第２受光部１５から出力されたセンサ出力ＩＲの値と、路湿度センサ２１から出力されたセンサ出力ＲＴの値とをパラメータとして、第１受光部１３から出力されたセンサ出力ＡＬの値の補正処理を行うことにより、補正処理を正確に行うと共に補正処理が行いやすくなる。
【００５４】
本実施形態のように、経路湿度センサ２１から出力されたセンサ出力ＲＴの値に基づいて第２受光部１５から出力されたセンサ出力ＩＲの値を較正する較正係数（補正係数）を求め、当該較正係数を用いて第１受光部１３から出力されたセンサ出力ＡＬの値の補正処理を行う方法であってもよいし、センサ出力ＲＴおよびセンサ出力ＩＲ値をパラメータとした演算式に基づいてセンサ出力ＡＬを補正する演算処理を行う方法や、センサ出力ＲＴおよびセンサ出力ＩＲ値をパラメータとしたセンサ出力ＡＬの値の補正値をまとめたテーブルを用いて補正処理を行う方法を用いてもよく、特に限定するものではない。
【００５５】
また、一連の補正処理は、第２受光部１５から出力されたセンサ出力ＩＲの値（湿度の値）と、経路湿度センサ２１から出力されたセンサ出力ＲＴの値（湿度の値）とを比較して、両者の値に差がある場合にのみ行うことのほか、所定の時間が経過した時に補正処理を行う態様や、所定のタイミングで周期的に補正処理を行う態様も可能であり、特に限定するものではない。
【００５６】
なお、上述の実施形態のように異なる検出原理で測定した湿度のセンサ出力を用いてアルコール濃度のセンサ出力ＡＬを補正してもよいし、湿度のセンサ出力の代わりに酸素や二酸化炭素のセンサ出力を用いてアルコール濃度のセンサ出力ＡＬを補正することもできる。
【符号の説明】
【００５７】
１…ガス検知センサ、１０…検知セル、１１…光源、１２…第１フィルタ（フィルタ）、１３…第１受光部（受光部）、１４…第２フィルタ（フィルタ）、１５…第２受光部（受光部）、２０…経路、２１…経路湿度センサ（他の湿度センサ）、２２…演算部
【図１】
2013145207.tif 000003
【図２】
2013145207.tif 000004
【図３】
2013145207.tif 000005
【図４】
2013145207.tif 000006